(57)【要約】【課題】プレイヤーにとって最適なクラブの選択を自動的に行う。【解決手段】コースＤＢサーバー２０は、全コースのコースデータを格納しているコースデータＤＢと、携帯端末から通知されてくるプレイヤーデータを格納するプレイヤーデータＤＢとを具備する。携帯端末１０は、入力されたプレイヤーデータを格納するプレイヤーデータＤＢと、コースデータＤＢ中のプレイ対象コースのホール毎についてコースデータを格納する基本コースデータＤＢと、通信衛星３０からのプレイヤーの現在位置をコースＤＢサーバーに通知するＧＰＳ処理装置とを具備する。プレイヤーが携帯端末に次打ポイントを入力すると、コースＤＢサーバーに通知され、コースＤＢサーバーはプレイヤーの現在位置とコースデータを照合して次打ポイントまでの距離を算出し、算出した距離をプレイヤーデータと照合してプレイヤーが使用すべき最適クラブを携帯端末へ送信する。【選択図】        図１
2004159876.tif 000002
【特許請求の範囲】
【請求項１】
プレイヤーが携帯する携帯端末にプレイヤー自身の技術データであるプレイヤーデータを予め入力しておく手段と、
前記プレイヤーデータ，プレイヤーの現在位置および次打ポイントを前記携帯端末からコースＤＢサーバーに通知する手段とを備え、
前記コースＤＢサーバーは、前記次打ポイントまでの距離を算出してプレイヤーデータと照合し最適クラブを選択して前記携帯端末に通知する手段を有することを特徴とするゴルフガイダンスシステム。
【請求項２】
プレイヤーが携帯する携帯端末とゴルフ場側が備えるコースＤＢサーバーとをネットワーク網で接続されたゴルフガイダンスシステムにおいて、
前記コースＤＢサーバーは、ゴルフ場の全コースのコースデータを格納しているコースデータＤＢと、前記携帯端末から通知されてくるプレイヤーデータを格納するプレイヤーデータＤＢとを具備し、
前記携帯端末は、入力されたプレイヤー自身の技術データであるプレイヤーデータを格納するプレイヤーデータＤＢと、前記コースデータＤＢ中のコースデータから送信されてくるプレイ対象コースのホール毎についてコースデータを格納する基本コースデータＤＢと、通信衛星との通信を行って常にプレイヤーの現在位置を前記コースＤＢサーバーに通知するＧＰＳ処理装置とを具備し、
プレイヤーが携帯端末に次打ポイントを入力すると、前記コースＤＢサーバーに通知され、コースＤＢサーバーはプレイヤーの現在位置とコースデータを照合して次打ポイントまでの距離を算出し、算出した距離をプレイヤーデータと照合してプレイヤーが使用すべき最適クラブを携帯端末へ送信し、
携帯端末は、受信した最適クラブを画像処理したコースデータと共に表示することを特徴とするゴルフガイダンスシステム。
【発明の詳細な説明】
【０００１】
【発明の属する技術分野】
本発明はゴルフ場においてキャディに代替してプレイをガイダンスするゴルフガイダンスシステムに関する。
【０００２】
【従来の技術】
従来、ゴルフの競技者に対して、ゴルフコースのコースレイアウトやホールピン等主要な目的物までの距離などを表示して案内を行う技術が知られている（例えば、特許文献１参照）。
【０００３】
同上特許文献１に記載の技術は、競技者が携帯する端末に、コースレイアウトの平面図とフェアウエイで切断した断面図とのコース図を表示する。そして、その図上に、ＧＰＳ受信機で計測された競技者の現在位置が合成表示する。更に、現在位置からグリーン，ピン，バンカーおよびカップなどの主要な目的物までの距離をコースレイアウトの平面図内に表示し、距離に対応した推奨クラブを表示する。このため、競技者は主な目的物までの距離を正確かつ速やかに計測でき、またクラブ選択の時間を短縮できる。
【０００４】
【特許文献１】
特公平８−２７１９６（第４頁〜第６頁，図４）
【０００５】
【発明が解決しようとする課題】
しかしながら、上述した従来技術では、推奨クラブの表示は、目的物までの距離等ゴルフコースのコースデータに基づいて行い、競技者の技量に対する配慮はされていない。したがって、競技者は表示された推奨クラブに対して、自己の技量を考慮の上、最適なクラブを選択しなければないので、クラブの選択を誤るということも少なくないという問題点がある。
【０００６】
本発明の目的は、プレイヤーにとって最適なクラブの選択を自動的に行うことができるゴルフガイダンスシステムを提供することにある。
【０００７】
【課題を解決するための手段】
本発明のゴルフガイダンスシステムは、プレイヤーが携帯する携帯端末にプレイヤー自身の技術データであるプレイヤーデータを予め入力しておく手段と、プレイヤーデータ，プレイヤーの現在位置および次打ポイントを携帯端末からコースＤＢサーバーに通知する手段とを備え、コースＤＢサーバーは、次打ポイントまでの距離を算出してプレイヤーデータと照合し最適クラブを選択して携帯端末に通知する手段を有することを特徴とする。
【０００８】
より詳しくは、本発明のゴルフガイダンスシステムは、プレイヤーが携帯する携帯端末とゴルフ場側が備えるコースＤＢサーバーとをネットワーク網で接続されたゴルフガイダンスシステムにおいて、コースＤＢサーバーは、ゴルフ場の全コースのコースデータを格納しているコースデータＤＢと、携帯端末から通知されてくるプレイヤーデータを格納するプレイヤーデータＤＢとを具備し、携帯端末は、入力されたプレイヤー自身の技術データであるプレイヤーデータを格納するプレイヤーデータＤＢと、コースデータＤＢ中のコースデータから送信されてくるプレイ対象コースのホール毎についてコースデータを格納する基本コースデータＤＢと、通信衛星との通信を行って常にプレイヤーの現在位置をコースＤＢサーバーに通知するＧＰＳ処理装置とを具備し、プレイヤーが携帯端末に次打ポイントを入力すると、コースＤＢサーバーに通知され、コースＤＢサーバーはプレイヤーの現在位置とコースデータを照合して次打ポイントまでの距離を算出し、算出した距離をプレイヤーデータと照合してプレイヤーが使用すべき最適クラブを携帯端末へ送信し、携帯端末は、受信した最適クラブを画像処理したコースデータと共に表示することを特徴とする。
【０００９】
本発明は、このように、プレイヤーがクラブ毎の飛距離等のプレイヤーデータを予め入力しておくと、コースＤＢサーバーに通知され、コースＤＢサーバーは残り距離とプレイヤーデータに基づいて最適クラブを選択して、プレイヤーの携帯端末に通知する構成としたため、プレイヤーにとって最適なクラブの選択を自動的に行うことができ、その結果、キャディに代替してプレイをガイダンスすることができるようにしたものである。
【００１０】
【発明の実施の形態】
次に、本発明の実施の形態について図面を参照しながら説明する。
【００１１】
【実施例の構成】
図１は本発明のゴルフガイダンスシステムの一実施例を示す構成図である。このゴルフガイダンスシステムは、図１に示すとおり、携帯端末１０，コースＤＢサーバー２０および通信衛星３０により構成され、多数の携帯端末１０と１つのコースＤＢサーバー２０はネットワーク網４０を介して接続され、コースＤＢサーバー２０はインターネット網５０に接続される。
【００１２】
携帯端末１０はゴルフプレイヤーが携帯する端末機であり、図２に示すように、処理装置１０１，プレイヤーデータＤＢ１０２，ＧＰＳ処理装置１０３，スコア管理ＤＢ１０４および基本コースデータＤＢ１０５より構成されている。
【００１３】
プレイヤーデータＤＢ１０２は、プレイヤーが登録するプレイヤーデータを格納するデータベースである。プレイヤーデータとは、クラブ毎の履歴，平均飛距離，スライスの有無，フックの有無等プレイヤー自身の技術データをいう。
【００１４】
ＧＰＳ処理装置１０３は通信衛星３０との通信を行い、常にプレイヤーの現在位置をコースＤＢサーバー２０に通知する機能を有する。
【００１５】
プレイヤースコア管理ＤＢ１０４はプレイヤーが入力するプレイ結果としてのスコアデータを格納するデータベースである。
【００１６】
基本コースデータＤＢ１０５は、コースのホール毎について、フェアウェイの距離，池の位置，グリーンの状況等コース全体のコースデータを格納するデータベースである。
【００１７】
処理装置１０１は携帯端末１０全体の制御を行う。すなわち、携帯端末１０へのデータ入力と表示出力と、プレイヤーデータＤＢ１０２，プレイヤースコア管理ＤＢ１０４および基本コースデータＤＢ１０５のアクセスと、コースＤＢサーバー２０との送受信と、所定のデータ処理とを行う。例えば、プレイヤーデータをプレイヤーデータＤＢ２０３から読み出してコースＤＢサーバー２０に通知し、またコースＤＢサーバー２０からコースデータを受け取り画像処理する機能を有する。
【００１８】
一方、コースＤＢサーバ２０は、ゴルフ場側が備え、図３に示すように、処理装置２０１，コースデータＤＢ２０２，プレイヤーデータＤＢ２０３，プレイヤースコアデータＤＢ２０４、気象データＤＢ２０５より構成される。
【００１９】
コースデータＤＢ２０２はゴルフ場の全コースのコースデータを格納しているデータベースである。
【００２０】
プレイヤーデータＤＢ２０３は携帯端末１０から通知されるプレイヤーデータを格納するとともに、標準的なプレイヤーデータも格納しているデータベースである。
【００２１】
プレイヤースコアデータＤＢ２０４は携帯端末１０から通知される各プレイヤーのスコアデータを格納するデータベースである。
【００２２】
気象データＤＢ２０５はインターネット５０を通じで得た最新の気象データを常に格納している。
【００２３】
処理装置２０１はコースＤＢサーバー２０全体の制御を行う。すなわち、コースデータＤＢ２０２，プレイヤーデータＤＢ２０３，プレイヤースコアデータＤＢ２０４および気象データＤＢ２０５のアクセスと、携帯端末１０との送受信と、所定のデータ処理とを行う。例えば、携帯端末１０のＧＰＳ処理装置１０３からプレイヤー位置情報を受信し、コースデータＤＢ２０２中のコースデータと照らし合わせて、グリーンまでの残り距離などのコースデータを携帯端末１０に通知する。
【００２４】
【実施例の動作】
次に、図４に示す入力画面図，図５に示すフローチャートおよび図６〜図８に示す通知画面図を用いて本実施例の動作を説明する。
【００２５】
先ずプレイ開始に当り、プレイヤーは、自己の携帯端末１０からコースＤＢサーバー２０にアクセスすると、処理装置２０１がコースデータＤＢ２０２の内からプレイしようとしているコースのコースデータをを送信してくるので（図５のステップＳ１）、基本コースデータＤＢ１０５に取り込む（ステップＳ２）。この処理は、前回と同じコースでプレイする場合には不要である。このとき、気象データＤＢ２０５中の気象データも携帯端末１０に送られてきて画面に表示される（ステップＳ３）。
【００２６】
次いで、プレイヤーは、図４に示す形式で自身のプレイヤーデータを入力する。図４は携帯端末１０の入力画面のイメージ図であり、プレイヤーデータとしてクラブ毎の飛距離を入力するようになっている。入力されたプレイヤーデータはプレイヤーデータＤＢ１０２に格納され（ステップＳ４）、またネットワーク網４０を通じてコースＤＢサーバー２０に送信され（ステップＳ４）、プレイヤーデータＤＢ２０３に格納される（ステップＳ５）。
【００２７】
携帯端末１０のＧＰＳ処理装置１０３は通信衛星３０と通信を行っており、プレイヤーの現在位置を検知し、そのデータをネットワーク網４０経由でコースＤＢサーバー２０の処理装置２０１に通知している（ステップＳ７）。プレイヤーはプレイの節目、例えば２打目の際に狙いたい次打ポイントを決め、携帯端末１０に入力する。この入力は、基本コースデータＤＢ１０５中のコースデータから当該ホールのレイアウトを画面表示させ、その画面上に次打ポイントを指定することにより行う。入力された次打ポイントはコースＤＢサーバー２０に通知される（ステップＳ８）。
【００２８】
処理装置２０１は、プレイヤーの現在位置と、そのコースのコースデータＤＢ２０２内のコースデータとを照合し、次打ポイントまでの残り距離を算出する（ステップＳ９）。また、算出した距離をプレイヤーデータＤＢ２０３中のプレイヤーデータと照合し（ステップＳ１０）、プレイヤーが使用すべき最適なクラブおよび気象データを携帯端末１０に通知する（ステップＳ１１）。プレイヤーデータが入力されていない場合には、標準的なプレイヤーデータを使用する。この時の気象データは、プレイヤーデータ入力時とは異なっているかもしれないので、再度気象データＤＢ２０５から読み出して通知するものである。
【００２９】
処理装置１０１はコースＤＢサーバー２０から受信した最適なクラブおよび気象データを画像処理し、基本コースデータＤＢ１０５のコースデータを使用して画面表示等によりプレイヤーに知らせる（ステップＳ１２）。特に、グリーン上においては、グリーンの芝目や傾斜を詳細に表示する（ステップＳ１３）。プレイヤーは、このようにして得られる最適クラブをストレートに使用すれば高いスコアを期待できる。ただし、気象条件にも配慮する必要はあろう。
【００３０】
図６は、コースＤＢサーバー２０から通知され携帯端末１０に表示されたコースデータ通知画面を例示するイメージ図である。また、図７は、このときのグリーンデータ通知画面を例示するイメージ図である。なお、気象データは、気象悪化に伴い落雷等の危険性がある場合には、その度に気象データＤＢ２０５は携帯端末１０に通知する。
【００３１】
以上の処理はコース毎にホールアウトする（ステップＳ１４でＹＥＳ）まで繰り返される。コース毎にプレイヤーデータを入力するのは、直前のプレイによってプレイヤーデータが異なってくることがあるからである。
【００３２】
ホールアウト後、プレイヤーはそのホールのスコア（打数，パット数）を携帯端末１０に入力し、そのスコアデータはプレイヤースコア管理ＤＢ１０４に格納される（ステップＳ１５）。
【００３３】
処理装置１０１はプレイヤースコア管理ＤＢ１０４のスコアデータをコースデータＤＢサーバー２０に送信し（ステップＳ１６）、処理装置２０１はそのスコアデータをプレイヤースコアデータＤＢ２０４に格納する（ステップＳ１７）。また、処理装置１０１はプレイヤーデータＤＢ１０２に格納された使用クラブ履歴等を参照し、基本コースデータＤＢ１０５に格納されているコースデータ上にプレー履歴を表示する（ステップ１８）。図８は、携帯端末１０に表示されたプレー履歴通知画面を例示するイメージ図である。
【００３４】
プレイヤースコアＤＢ２０４は各プレイヤーのスコアデータを格納、整理し、プレイヤーが全ホール終了後にスコアデータを帳票出力する（ステップ１９）。
【００３５】
【発明の効果】
本発明によれば、プレイヤーがクラブ毎の飛距離等のプレイヤーデータを予め入力しておくと、コースＤＢサーバーに通知され、コースＤＢサーバーは残り距離とプレイヤーデータに基づいて最適クラブを選択して、プレイヤーの携帯端末に通知する構成としたため、プレイヤーにとって最適なクラブの選択を自動的に行うことができるという効果が得られる。
【図面の簡単な説明】
【図１】本発明のゴルフガイダンスシステムの一実施例を示す構成図
【図２】図１に示した携帯端末１０の構成図
【図３】図１に示したコースＤＢサーバー２０の構成図
【図４】携帯端末１０の入力画面のイメージ図
【図５】本発明のゴルフガイダンスシステムの一実施例の処理を示すフローチャート
【図６】携帯端末１０に表示されたコースデータ通知画面を例示するイメージ図
【図７】携帯端末１０に表示されたグリーンデータ通知画面を例示するイメージ図
【図８】携帯端末１０に表示されたプレー履歴通知画面を例示するイメージ図
【符号の説明】
１０      携帯端末
２０      コースＤＢサーバー
３０      通信衛星
４０      ネットワーク網
５０      インターネット網
【図１】
2004159876.tif 000003
【図２】
2004159876.tif 000004
【図３】
2004159876.tif 000005
【図４】
2004159876.tif 000006
【図５】
2004159876.tif 000007
【図６】
2004159876.tif 000008
【図７】
2004159876.tif 000009
【図８】
2004159876.tif 000010